(57)【要約】【課題】  読み書き可能なＩＣタグ等が埋め込まれるＲＦＩＤシートに、ＩＣタグの各種データのうち必要なものが視認可能に表示できるようにする。【解決手段】  識別情報などが記録される読み書き可能なＩＣタグ２や通信用アンテナ３が埋め込まれる可撓性のあるＲＦＩＤシート１に、表示回路４を介して視認できるよう表示可能な表示部５を設け、書き込まれたＩＣタグ２のデータの一部が表示できるようにする。このようなＲＦＩＤシート１の媒体としては、印刷可能な紙にすることが好ましい。また、表示部５のディスプレイデバイスとしては、例えば有機ＥＬ等が好ましい。【選択図】      図２
2010140384.tif 000002
【特許請求の範囲】
【請求項１】
識別情報などが記録されかつ非接触式無線通信によって読み書き可能なＩＣタグや通信用アンテナが埋め込まれる可撓性のあるＲＦＩＤシートであって、このシートには、ＩＣタグに書き込まれた情報の少なくとも一部が視認可能に表示される表示部が一体に形成されることを特徴とする表示機能付きＲＦＩＤシート。
【請求項２】
前記ＲＦＩＤシートは、印刷が可能な紙であることを特徴とする請求項１に記載の表示機能付きＲＦＩＤシート。
【発明の詳細な説明】
【技術分野】
【０００１】
本発明は、ＲＦＩＤタグが埋め込まれる可撓性シートの改良技術に関する。
【背景技術】
【０００２】
従来、文字や図形などの視認情報とデジタルデータとを一体に記録できるような技術として、印字用紙にＲＦＩＤタグを埋め込み、プリンター機能やファクシミリ機能を有する複写機に原稿用のリーダライタや印字用紙用のリーダライタを設けることにより、パソコンなどの外部機器から送信される文字データやグラフィックデータなどに基づいて印字用紙に視認情報を印字するとともに、デジタルデータとして記録すべきデータをＲＦＩＤタグに書き込むような技術が知られている。（例えば、特許文献１参照。）
【特許文献１】特開２００２−３３７４２６号広報
【０００３】
一方、会社などにおいては、例えば、部外者が車両で訪れるような場合にセキュリティ保護等の観点から、ＲＦＩＤタグが埋め込まれる車両許可証を発行し、この許可証が付与された車両の運転手等は許可証をダッシュボード等の上に置いておき、ゲート近傍に配置したリーダライタによって無線通信し識別することにより、運転手が車両から降りたり、窓を開けたりしなくても入場できるような技術も知られている。（例えば、特許文献２参照。）
【特許文献２】特開２００２−３６６９９２号広報
【発明の開示】
【発明が解決しようとする課題】
【０００４】
ところで、上記のようなＲＦＩＤタグが埋め込まれる車両許可証によって入場管理する場合、例えば、運転手に行き先を指示したり、面会時間を指示したりするような情報を伝達するため、運転手にメモ等を手渡す必要があるようなときには、車両の窓を開けたり、運転手が車両から降りなければならなくなり、不便であった。
また、車両の運行管理に限られず、一般的に、部外者等の入場を許可する許可証等に、行き先や面会時間やその他の必要な情報等を目で見える状態で表示できれば便利であった。
【０００５】
そこで、本発明は、読み書き可能なＩＣタグ等が埋め込まれるＲＦＩＤシートに、ＩＣタグの各種データが視認可能に表示できるようにすることを目的とする。
【課題を解決するための手段】
【０００６】
上記目的を達成するため本発明は、識別情報などが記録されかつ非接触式無線通信によって読み書き可能なＩＣタグや通信用アンテナが埋め込まれる可撓性のあるＲＦＩＤシートにおいて、このシートに、ＩＣタグに書き込まれる情報の少なくとも一部が視認可能に表示される表示部を一体に形成するようにした。
【０００７】
このように、識別情報などが記録されたＩＣタグが埋め込まれるＲＦＩＤシートに、表示部を一体に形成することで、例えば、車両の立ち入りを許可する許可証等に適用した場合には、運転手が車両から降りたり、窓を開けたりする必要がなくなり便利である。
ここで、ＲＦＩＤシートを可撓性のあるシートにすることで、取り扱いが簡易で、置き場所等の制約を受けにくくなり、また安価に作製できる。このような可撓性シートとしては、例えば樹脂フィルムや紙等が適用可能である。
また、可撓性が保持される表示部としては、例えば、発光有機層を一対の電極で挟んだ有機ＥＬとか、コレステリック液晶材料等の任意のディスプレイデバイスを適用することが可能である。
【０００８】
また本発明では、前記ＲＦＩＤシートを、印刷が可能な紙とした。
このように印刷が可能な紙にすることで、ＩＣタグに記録される情報以外の各種情報を印刷することができ、一層簡便である。
【発明の効果】
【０００９】
識別情報などが記録されるＩＣタグなどが埋め込まれる可撓性のあるＲＦＩＤシートに、ＩＣタグに書き込まれる情報の少なくとも一部が視認可能に表示される表示部を一体に形成することにより、関連する各種情報のうち特に必要なものを視認可能に表示させることができるようになるため便利である。
また、ＲＦＩＤシートを印刷可能な紙にすることで、より多様性のある情報伝達媒体とすることができる。
【発明を実施するための最良の形態】
【００１０】
本発明の実施の形態について添付した図面に基づき説明する。
ここで図１は本発明に係るＲＦＩＤシートを車両入出場管理システムに適用した場合の一例を示す説明図、図２はＲＦＩＤシートの一例を説明する説明図である。
【００１１】
本発明に係るＲＦＩＤシートは、ＩＣタグ等が埋め込まれる可撓性を有するＲＦＩＤシートに、ＩＣタグに書き込まれた各種データが目視で表示できるようにされ、ここでは、車両入出場管理ステムの入場許可証に適用した場合を代表例にして説明する。
【００１２】
会社等への入退場を許可されたものには、会社等が発行する許可証が付与される。この許可証は、ＩＤタグとなる識別情報が記録されるＩＣタグや通信用アンテナが埋め込まれたものであり、本実施例では、例えばＡ４版またはＡ５版程度のサイズの印刷可能な二枚の紙でＩＣタグやアンテナを挟み込んで一体化することで、厚み０．１〜０．５ｍｍ程度で折曲げることができるような形態にしている。
【００１３】
そして、このような許可証は、例えば車両のダッシュボード上等に置かれ、車両の進入を感知すると、図１に示すような不図示のコントローラを介して送信アンテナ１１から電波が発信される。そして、この電波によってＩＣタグを電気的に起動させるとともに、ＩＣタグから送り出されるＩＤ情報を伴った電波を受信アンテナ１２で受信し、コントローラにより予め登録されたＩＤ情報と照合し、照合が確認された場合にはゲート１３を開けて通過を許可するように構成されている。
【００１４】
ところで、本ＲＦＩＤシート１は、図２に示すように、識別情報が記録されるＩＣタグ２や通信用アンテナ３のほかに表示回路４が二枚の紙の間に埋設されており、この表示回路４によって表示部５に文字データやグラフィックデータなどのデータが視認可能に表示できるようにされている。
【００１５】
この表示部５のディスプレイデバイスは、例えば、発光有機層を二つの電極で挟んだ構造の有機ＥＬデバイスとか、一度画面に表示させれば電力を与えなくても表示が維持されるコレステリック液晶材料等が適用可能であり、いずれも表示回路４によって表示が制御されるようにしている。
なお、表示用の電力は、不図示のコントローラ側から送信アンテナ１１を通じて発信される電波によってＩＣタグ２の回路に生じる電力を利用するようにしてもよいが、別途表示用の電源を一体に設けるようにしてもよい。
【００１６】
以上のようなＲＦＩＤシート１の作用等について説明する。
車両の運行を許可した会社等が許可証（ＲＦＩＤシート）を発行すると、運転者は車両のダッシュボード等にＲＦＩＤシート１を置いておく。この際、可撓性を有する紙なので手軽に取り扱うことができ、また、ある程度折り曲げることができるため置く場所に制約を受けにくく、しかも安価に作製できる。そして、訪問会社のゲートに近づくと、進入を感知した不図示のコントローラから指令が発せられ、送信アンテナ１１から無線信号が発せられる。
【００１７】
ＲＦＩＤシート１の通信用アンテナ３が電波を受信すると、ＩＣタグ２が起動してＩＤ情報を伴った電波を通信用アンテナ３から発信する。受信アンテナ１２がこの電波を受信すると、コントローラがＩＤ情報の照合を行い、確認がとれると、ゲート１３を開けるとともに、コントローラを通じて送信アンテナ１１から行き先や時間やその他必要なデータを無線で送信する。
【００１８】
すると、それらのデータは、通信用アンテナ３を通してＩＣタグ２に書き込まれ、必要なデータが表示回路４を通して表示部５に視認可能に表示される。このため、運転手等はそのまま場内に入場し、表示部５に表示されるデータに基づいて必要な箇所に移動することができる。
【００１９】
退出時も同様であるが、以上のようにＲＦＩＤシート１に目で確認できる表示部５を設けることにより、セキュリティを保持した状態でも入退場を円滑ならしめることができる。
また、ＲＦＩＤシート１が印刷可能であるため、その他の共通事項等の情報を予め印刷しておくことができ便利である。
【００２０】
なお、以上の実施例では、車両の運行管理におけるＲＦＩＤシートの場合を例にとって説明したが、その他の歩行者での来場者や、場内でのセキュリティレベルに応じた立ち入りの管理等にも適用可能である。
【００２１】
なお、本発明は以上の実施形態に限定されるものではない。本発明の特許請求の範囲に記載した事項と実質的に同一の構成を有し、同一の作用効果を奏するものは本発明の技術的範囲に属する。例えば、ＩＣタグ２や通信用アンテナ３や表示回路５の配置等は一例であり、表示部５のディスプレイデバイスの種類等も任意である。
【産業上の利用可能性】
【００２２】
ＲＦＩＤシートに表示部を一体に設けたため、例えば会社等への入退場の許可証や、立ち入り制限区域への立入証などに適用すれば便利である。
【図面の簡単な説明】
【００２３】
【図１】本発明に係るＲＦＩＤシートを車両入出場管理システムに適用した場合の一例を示す説明図
【図２】ＲＦＩＤシートの一例を説明する説明図
【符号の説明】
【００２４】
１…ＲＦＩＤシート、２…ＩＣタグ、３…通信用アンテナ、４…表示回路、５…表示部。
【図１】
2010140384.tif 000003
【図２】
2010140384.tif 000004